(57)【特許請求の範囲】
【請求項１】
揮発性有機化合物などの可燃性有害成分を含有する排ガスを燃焼処理する蓄熱燃焼式排ガス浄化装置における複数の排ガスの給排口を、シリンダの伸縮作動によって往復動する複数のポペット式ダンパを連動させて開閉することにより、前記蓄熱燃焼式排ガス浄化装置に対して排ガスの供給・排出を行うようにした排ガス浄化設備における前記シリンダのピストンロッド部を加熱する方法であって、
前記複数の排ガスの給排口から排出された処理済排ガスの一部を、前記シリンダのピストンロッド部における、前記ポペット式ダンパが後退した時に大気中に暴露される部分の周囲に送り込むことを特徴とする排ガス浄化設備におけるシリンダのピストンロッド部の加熱方法。
【請求項２】
揮発性有機化合物などの可燃性有害成分を含有する排ガスを燃焼処理する蓄熱燃焼式排ガス浄化装置における複数の排ガスの給排口を、シリンダの伸縮作動によって往復動する複数のポペット式ダンパを連動させて開閉することにより、前記蓄熱燃焼式排ガス浄化装置に対して排ガスの供給・排出を行うようにした排ガス浄化設備における前記シリンダのピストンロッド部を加熱する装置であって、
前記シリンダのピストンロッド部における、前記ポペット式ダンパが後退した時に大気中に暴露される部分を気密に包囲する包囲手段と、
前記複数の排ガスの給排口から排出された処理済排ガスの一部を前記包囲手段に誘導する誘導管と、
排ガスを前記排ガスの給排口に送り込むか、または、前記排ガスの給排口から処理済排ガスを吸引する送風機と、
を含むことを特徴とする排ガス浄化設備におけるシリンダのピストンロッド部の加熱装置。
【発明の詳細な説明】
【技術分野】
【０００１】
本発明は、排ガス浄化設備におけるシリンダのピストンロッド部の加熱方法およびその装置に係り、より詳しくは、揮発性有機化合物などの可燃性有害成分を含有する排ガスを燃焼処理する蓄熱燃焼式排ガス浄化装置における複数の排ガスの給排口を、シリンダの伸縮作動によって往復動する複数のポペット式ダンパを連動させて開閉することにより、前記蓄熱燃焼式排ガス浄化装置に対して排ガスの供給・排出を行うようにした排ガス浄化設備における前記シリンダのピストンロッド部の加熱方法およびその装置に関する。
【背景技術】
【０００２】
本出願人は、先に、排ガス浄化設備の一つとして、揮発性有機化合物などの可燃性有害成分を含有する排ガスを燃焼処理する蓄熱燃焼式排ガス浄化装置における複数の排ガスの給排口を、シリンダの伸縮作動によって昇降する複数のポペット式ダンパを連動させて開閉することにより、前記蓄熱燃焼式排ガス浄化装置に対して排ガスの供給・排出を行うようにしたものを提案し、特許出願している。    
【特許文献１】特開２００４−１３８３５８公報
【発明の開示】
【発明が解決しようとする課題】
【０００３】
しかし、このように構成された従来の排ガス浄化設備では、ポペット式ダンパをピストンロッドの先端に固着した上向きのシリンダが、蓄熱燃焼式排ガス浄化装置の外側面に装着されていて、ダンパが昇降するたび毎に、そのピストンロッドは蓄熱燃焼式排ガス浄化装置内と外部の大気中との間を往復動する。そのため、大気中にあって比較的低温のピストンロッドがダンパの上昇に伴って蓄熱燃焼式排ガス浄化装置内に進入すると、そのピストンロッドにおける蓄熱燃焼式排ガス浄化装置内に進入した部分に、排ガスの含有成分が付着したり、結露したりし、その結果、ピストンロッドは、蓄熱燃焼式排ガス浄化装置の壁部における摺動部の抵抗が増加したり、この抵抗の増加に伴って作動不良を起こしたり、腐食したりするなどの問題が発生している。
【０００４】
本発明は、上記の事情に鑑みてなされたもので、その目的は、ポペット式ダンパを往復動させるシリンダのピストンロッドに、排ガスの含有成分が付着したり、結露したりすることのない排ガス浄化設備におけるシリンダのピストンロッド部の加熱方法およびその装置を提供することにある。
【課題を解決するための手段】
【０００５】
上記の目的を達成するために本発明の排ガス浄化設備におけるシリンダのピストンロッド部の加熱方法は、揮発性有機化合物などの可燃性有害成分を含有する排ガスを燃焼処理する蓄熱燃焼式排ガス浄化装置における複数の排ガスの給排口を、シリンダの伸縮作動によって往復動する複数のポペット式ダンパを連動させて開閉することにより、前記蓄熱燃焼式排ガス浄化装置に対して排ガスの供給・排出を行うようにした排ガス浄化設備における前記シリンダのピストンロッド部を加熱する方法であって、前記複数の排ガスの給排口から排出された処理済排ガスの一部を、前記シリンダのピストンロッド部における、前記ポペット式ダンパが後退した時に大気中に暴露される部分の周囲に送り込むことを特徴とする。     
【発明の効果】
【０００６】
以上の説明から明らかなように本発明は、揮発性有機化合物などの可燃性有害成分を含有する排ガスを燃焼処理する蓄熱燃焼式排ガス浄化装置における複数の排ガスの給排口を、シリンダの伸縮作動によって往復動する複数のポペット式ダンパを連動させて開閉することにより、前記蓄熱燃焼式排ガス浄化装置に対して排ガスの供給・排出を行うようにした排ガス浄化設備における前記シリンダのピストンロッド部を加熱する方法であって、前記複数の排ガスの給排口から排出された処理済排ガスの一部を、前記シリンダのピストンロッド部における、前記ポペット式ダンパが後退した時に大気中に暴露される部分の周囲に送り込むから、シリンダのピストンロッド部が加熱されるため、ピストンロッド部における、ポペット式ダンパが後退した時に大気中に暴露される部分に、排ガスの含有成分が付着したり、結露したりするのを未然に防止することができるなどの優れた実用的効果を奏する。     
【発明を実施するための最良の形態】
【０００７】
以下、本発明を適用した排ガス浄化設備の一実施例について、図１に基づき詳細に説明する。図１に示すように、揮発性有機化合物などの可燃性有害成分を含有する排ガスを燃焼処理する蓄熱燃焼式排ガス浄化装置１には、排ガスを供給・排出する２個の給排口２および３が設けてあり、前記給排口２を有する壁部の下面には、未処理の排ガスを前記給排口２に誘導する第１誘導部材４が、また、前記給排口３を有する壁部の下面には、前記給排口３からの処理済の排ガスを大気中に誘導する第２誘導部材５がそれぞれ装着してある。そして、前記第１誘導部材４には未処理の排ガスを送り込む送風機（図示せず）がダクト（図示せず）を介して連通接続してある。
【０００８】
また、前記２個の給排口２および３の真上には、これら給排口２、給排口３をそれぞれ開閉する２個のポペット式ダンパ６および７がそれぞれ昇降可能に配設してあり、これら２個のポペット式ダンパ６および７には、２本の上向きのシリンダ８および９のピストンロッドの先端が、連結杆１０および１１をそれぞれ介して固着してあって、２個のポペット式ダンパ６および７は、前記２本のシリンダ８および９の伸縮作動により、それぞれ昇降するようになっている。そして、前記シリンダ８および９は、前記連結杆１０および１１をそれぞれ包囲する２個の筒状の支持部材１２および１３を介して前記第１誘導部材４、前記第２誘導部材５の下面にそれぞれ装着してあり、さらに、前記支持部材１２内は、ほぼ中央位置にて仕切り部材１４により上下に気密に仕切ってある。そして、前記支持部材１２内の上室１５の内面には断熱材１６が張着してあって、前記シリンダ８の収縮作動により前記ポペット式ダンパ６が下降した時に、前記連結杆１０が大気中に暴露される部分を気密に包囲する包囲手段を構成する。また、前記上室１５における前記連結杆１０の貫通する箇所には、シール部材１７および１８がそれぞれ装着してある。
【０００９】
また、前記第２誘導部材５内と前記支持部材１２の上半分内は、誘導管１９を介して連通接続してあり、さらに前記支持部材１２の上半分の内は、図示しない連通管を介して前記送風機の吸引口に連通接続してある。
【００１０】
このように構成したものは、排ガス浄化設備を作動すると、第２誘導部材５内の加熱された処理済の排ガスが誘導管１９を介して支持部材１２の上室１５内に送り込まれる。そのため、シリンダ８の収縮作動によりポペット式ダンパ６が下降した時に連結杆１０における大気中に暴露される部分は、上室１５内の処理済の排ガスによって加熱される。このため、ポペット式ダンパ６の下降時に大気中に暴露される連結杆１０のその部分は、シリンダ８の伸長作動により第１誘導部材４内に進入しても、排ガスの含有成分が付着したり、結露したりすることがない。
【００１１】
なお、上記の実施例では、第２誘導部材５内から排出されて上室１５を貫流した処理済の排ガスは、送風機の吸引口に送り込まれるようになっているが、これに限定されるものではなく、処理済の排ガスを、送風機をよって第２誘導部材５内から吸引し排出させたのち、上室１５に送り込み、その後、未処理の排ガスを第１誘導部材４に誘導するダクト（図示せず）に送り込むようにしてもよい。
またなお、上記の実施例では、ポペット式ダンパ６は、連結杆１０を介してシリンダ８のピストンロッドの先端に連結されていて、第２誘導部材５内の加熱された処理済の排ガスは、この連結杆１０を加熱しているが、シリンダ８のピストンロッドを長くして連結杆１０を省略し、このピストンロッドの先端に、直接ポペット式ダンパ６を固着して、そのピストンロッドを加熱するようにしてもよい。      
またなお、上記の実施例では、ポペット式ダンパ６は、上向きのシリンダ８の伸縮作動によって昇降するようにしてあるが、これに限定されるものではなく、ポペット式ダンパが横向きのシリンダの伸縮作動によって往復動して、蓄熱燃焼式排ガス浄化装置の側壁に設けられた、排ガスを供給・排出する給排口を開閉するようにしてもよい。
【図面の簡単な説明】
【００１２】
【図１】本発明を採用した排ガス処理設備の一実施例の主要部を示す縦断面図である。
【符号の説明】
【００１３】
１    蓄熱燃焼式排ガス浄化装置
２；３    給排口
４    第１誘導部材
５    第２誘導部材
１５    上室
１９    誘導管
【図１】
0004953076.tif 000002